【手続補正書】
【提出日】平成29年2月20日(2017.2.20)
【手続補正１】
【補正対象書類名】明細書
【補正対象項目名】００１８
【補正方法】変更
【補正の内容】
【００１８】
シャフト２１は、一方の端面２１０に設けられ、差動ネジ２０の第二のネジ部２０２と螺合するネジ穴２１２と、他方の端面２１１に設けられ、後述の組立ボルト２５と螺合するネジ穴２１３と、を有する。なお、差動ネジ２０は、シャフト２１より短くてもよいし、長くてもよい。また、図示していないが、シャフト２１をスパナで回転させることができるように、シャフト２１の外周面にスパナ掛け用の平坦部を設けてもよい。例えば、シャフト２１を六角柱状とすることにより、あるいはシャフト２１の外周面に六角柱状の鍔部を設けることにより、スパナ掛け用の平坦部を設けてもよい。
【手続補正２】
【補正対象書類名】明細書
【補正対象項目名】００３２
【補正方法】変更
【補正の内容】
【００３２】
また、第二間隔調整装置３ａの円筒ネジ３５を、第二間隔調整装置３ａのブラケット３２の表面３２０側からブラケット３２に設けられたネジ穴３２２に螺合させる。このとき、円筒ネジ３５がブラケット３２から抜け落ちない程度の緩めに螺合させる。それから、第二間隔調整装置３ａのシャフト３１の他方の端面３１１を、ブラケット３２の表面３２０側からブラケット３２のネジ穴３２２に螺合させた円筒ネジ３５に挿入する。これにより、ブラケット３２のネジ穴３２に挿入された円筒ネジ３５が、シャフト３１にスライド自在に装着される。このとき、円筒ネジ３５をＲ方向に回転させて、ブラケット３２にシャフト３１を仮止めしてもよい（図３参照）。この場合、搬送レール４の裏面４１からブラケット３２の裏面３２１までの距離が搬送レール４の裏面４１からブラケット２２の裏面２２１までの距離より短くなる位置において、ブラケット３２にシャフト３１を仮止めする。
【手続補正３】
【補正対象書類名】明細書
【補正対象項目名】００３５
【補正方法】変更
【補正の内容】
【００３５】
つぎに、図示していないスパナに第二間隔調整装置３ａの円筒ネジ３５の鍔部３５５を把持させ、このスパナを用いて円筒ネジ３５を、円筒ネジ３５の鍔部３５５が第二間隔調整装置３ａのブラケット３２の表面３２０と当接するまでＲ方向に回転させて、円筒ネジ３５をブラケット３２の表面３２０のネジ穴３２２に螺合させ、さらにねじ込むことにより、第二間隔調整装置３ａのシャフト３１を円筒ネジ３５（ブラケット３２）に固定する。
【手続補正４】
【補正対象書類名】明細書
【補正対象項目名】００３９
【補正方法】変更
【補正の内容】
【００３９】
本実施の形態によれば、搬送フレーム４および架台５間に所定の間隔をおいて配置された一対の第一間隔調整装置２ａ各々の差動ネジ２０を回転させることにより、差動ネジ２０の回転数と差動ネジ２０の第一のネジ部２０１および第二のネジ部２０２間のピッチ差分との積により定まる調整量分、搬送フレーム４と架台５との間隔ｈを増減することができるので、搬送フレーム４と架台５との間隔ｈをより細やかに調整することができる。また、この際、一対の第一間隔調整装置２ａ間に配置された第二間隔調整装置３ａのシャフト３１がブラケット２２に対してスライド自在となるように円筒ネジ３５を介して装着しておき、一対の第一間隔調整装置２ａによる間隔調整がおおよそ終了してから、円筒ネジ３５を回転させてシャフト３１をブラケット３２に固定することにより、第二間隔調整装置３ａに過剰な負荷かかるのを防止でき、間隔調整機構１ａが損傷する可能性を低減できる。
【手続補正５】
【補正対象書類名】明細書
【補正対象項目名】００４１
【補正方法】変更
【補正の内容】
【００４１】
図示するように、本実施の形態に係る間隔調整機構１ｂが図１に示す第一実施の形態に係る間隔調整機構１ａと異なる点は、第一間隔調整装置２ａに代えて第一間隔調整装置２ｂを設けた点にある。その他の構成は第一実施形態に係る間隔調整機構１ａと同様である。第一間隔調整装置２ｂは、第一実施形態に係る間隔調整機構１ａの第一間隔調整装置２ａと同様、搬送レール４と架台５との間に所定の間隔をおいて少なくとも一対配置される。ここでは、一対の第一間隔調整装置２ｂを搬送レール４と架台５との間の両端部１０に配置し、第二間隔調整装置３ａを搬送レール４と架台５との間の中央部１１に配置している。
【手続補正６】
【補正対象書類名】明細書
【補正対象項目名】００４８
【補正方法】変更
【補正の内容】
【００４８】
つぎに、第一間隔調整装置２ｂにおいて、組立ボルト３４を、第一間隔調整装置２ｂのブラケット３２の表面３２０側からブラケット３２に設けられた座繰り貫通穴３２３に挿入し、架台５の表面５０に設けられた図示していないネジ穴に螺合させる。これにより、第一間隔調整装置２ｂのブラケット３２を架台５の表面５０に取り付ける。このとき、ブラケット３２が段付きシャフト２６に仮止めされているならば、円筒ネジ３５をＲ方向の反対方向に回転させて、円筒ネジ３５による段付きシャフト２６の締め付けを緩めておく。
【手続補正７】
【補正対象書類名】明細書
【補正対象項目名】００５６
【補正方法】変更
【補正の内容】
【００５６】
本実施の形態によれば、第一間隔調整装置２ｂに円筒ネジ３５を設けたことにより、第一間隔調整装置２ｂにおいて、搬送フレーム４と架台５との間隔ｈのおおよその調整は、円筒ネジ３５で行い、最終的な微調整のみを差動ネジ２０で行うことができる。したがって、搬送フレーム４と架台５との間隔ｈをより迅速に調整することができる。その他の効果は、第一実施の形態と同様である。
【手続補正８】
【補正対象書類名】明細書
【補正対象項目名】００５８
【補正方法】変更
【補正の内容】
【００５８】
図示するように、本実施の形態に係る間隔調整機構１ｃが図１に示す第一実施の形態に係る間隔調整機構１ａと異なる点は、第一間隔調整装置２ａに代えて第一間隔調整装置２ｃを設けた点にある。その他の構成は第一実施形態に係る間隔調整機構１ａと同様である。第一間隔調整装置２ｃは、第一実施形態に係る間隔調整機構１ａの第一間隔調整装置２ａと同様、搬送レール４と架台５との間に所定の間隔をおいて少なくとも一対配置される。ここでは、一対の第一間隔調整装置２ｃを搬送レール４と架台５との間の両端部１０に配置し、第二間隔調整装置３ａを搬送レール４と架台５との間の中央部１１に配置している。
【手続補正９】
【補正対象書類名】明細書
【補正対象項目名】００７２
【補正方法】変更
【補正の内容】
【００７２】
本実施の形態によれば、第一間隔調整装置２ｃにおいて、差動ネジ２７の第二のネジ部２７２をブラケット２８のネジ穴２８２に螺合させることにより、差動ネジ２７およびブラケット２８間に介在するシャフト（図１に示す第一間隔調整装置２ａのシャフト２１参照）を第一間隔調整装置２ｃから省略している。これにより、部品点数を削減できる。したがって、コストを低減することができるとともに、作業性を向上させることができる。その他の効果は、第一実施の形態と同様である。
【手続補正１０】
【補正対象書類名】明細書
【補正対象項目名】００７４
【補正方法】変更
【補正の内容】
【００７４】
図示するように、本実施の形態に係る間隔調整機構１ｄが図１に示す第一実施の形態に係る間隔調整機構１ａと異なる点は、第一間隔調整装置２ａに代えて第一間隔調整装置２ｄを設けた点、および第二間隔調整装置３ａに代えて第二間隔調整装置３ｄを用いた点にある。第一間隔調整装置２ｄは、第一実施の形態に係る間隔調整機構１ａの第一間隔調整装置２ａと同様、搬送レール４と架台５との間に所定の間隔をおいて少なくとも一対配置される。また、第二間隔調整装置３ｄは、第一実施の形態に係る間隔調整機構１ａの第二間隔調整装置３ａと同様、一対の第一間隔調整装置２ｄ間に配置される。ここでは、一対の第一間隔調整装置２ｄを搬送レール４と架台５との間の両端部１０に配置し、第二間隔調整装置３ｄを搬送レール４と架台５との間の中央部１１に配置している。
【手続補正１１】
【補正対象書類名】明細書
【補正対象項目名】００８８
【補正方法】変更
【補正の内容】
【００８８】
つぎに、第二間隔調整装置３ｄの差動ネジ３６のスパナ掛け部３６３をスパナで把持して、差動ネジ３６を回転させることにより、差動ネジ３６の回転数と差動ネジ３６の第一のネジ部３６１および第二のネジ部３６２間のピッチ差分との積により定まる調整量分、第二間隔調整装置３ｄの配置位置における搬送フレーム４と架台５との間隔ｈを増減して、この間隔ｈを所定の長さに調整する。
【手続補正１２】
【補正対象書類名】明細書
【補正対象項目名】００９１
【補正方法】変更
【補正の内容】
【００９１】
本実施の形態によれば、第一間隔調整装置２ｄにおいて、差動ネジ２９のスパナ掛け部２９３をスパナで把持させて、差動ネジ２９を回転させることにより、第一間隔調整装置２ｄの配置位置における搬送フレーム４と架台５との間隔ｈを調整することができるので、差動ネジ２９の一方の端面２９０にレンチ挿入用穴を設ける必要がなく、したがって、搬送レール４の表面４０に、このレンチ挿入用穴にレンチを挿入するための穴を設ける必要がない。これにより、搬送レール４の表面（搬送面）４０をより平坦にすることができ、搬送の精度を向上させることができる。その他の効果は、第一および第三実施の形態と同様である。
【手続補正１３】
【補正対象書類名】明細書
【補正対象項目名】００９３
【補正方法】変更
【補正の内容】
【００９３】
図示するように、本実施の形態に係る間隔調整機構１ｅが図１に示す第一実施の形態に係る間隔調整機構１ａと異なる点は、第一間隔調整装置２ａに代えて第一間隔調整装置２ｅを設けた点、および第二間隔調整装置３ａに代えて第二間隔調整装置３ｅを用いた点にある。第一間隔調整装置２ｅは、第一実施の形態に係る間隔調整機構１ａの第一間隔調整装置２ａと同様、搬送レール４と架台５との間に所定の間隔をおいて少なくとも一対配置される。また、第二間隔調整装置３ｅは、第一実施の形態に係る間隔調整機構１ａの第二間隔調整装置３ａと同様、一対の第一間隔調整装置２ｅ間に配置される。ここでは、一対の第一間隔調整装置２ｅを搬送レール４と架台５との間の両端部１０に配置し、第二間隔調整装置３ｅを搬送レール４と架台５との間の中央部１１に配置している。
【手続補正１４】
【補正対象書類名】明細書
【補正対象項目名】０１０３
【補正方法】変更
【補正の内容】
【０１０３】
つぎに、組立ボルト２４を、第一間隔調整装置２ｅのブラケット２８の表面２８０側からブラケット２８に設けられた座繰り貫通穴２８３に挿入し、架台５の表面５０に設けられた図示していないネジ穴に螺合させる。これにより、ブラケット２８を架台５の表面５０に取り付ける。同様に、組立ボルト３４を、第二間隔調整装置３ｅのブラケット３２の表面３２０側からブラケット３２に設けられた座繰り貫通穴３２３に挿入し、架台５の表面５０に設けられた図示していないネジ穴に螺合させる。これにより、ブラケット３２を架台５の表面５０に取り付ける。このとき、ブラケット３２にシャフト３１が仮止めされているならば、円筒ネジ３５をＲ方向の反対方向に回転させて、円筒ネジ３５によるシャフト３１の締め付けを緩めておく。
【手続補正１５】
【補正対象書類名】明細書
【補正対象項目名】０１０９
【補正方法】変更
【補正の内容】
【０１０９】
本実施の形態によれば、ブラケット６０およびブラケット３７を介して搬送レール４の裏面４１に、第一間隔調整装置２ｅおよび第二間隔調整装置３ｅを取り付けるようにしているので、図１に示す搬送レール４にあるようなネジ穴４２、４３の追加加工を施すことなく、第一間隔調整装置２ｅおよび第二間隔調整装置３ｅの設置位置を調節することができる。その他の効果は、第一、第三および第四実施の形態と同様である。
【手続補正１６】
【補正対象書類名】明細書
【補正対象項目名】０１１１
【補正方法】変更
【補正の内容】
【０１１１】
図示するように、本実施の形態に係る間隔調整機構１ｆが図１に示す第一実施の形態に係る間隔調整機構１ａと異なる点は、第一間隔調整装置２ａに代えて第一間隔調整装置２ｆを設けた点、および第二間隔調整装置３ａに代えて第三間隔調整装置３ｆを用いた点にある。第一間隔調整装置２ｆは、第一実施の形態に係る間隔調整機構１ａの第一間隔調整装置２ａと同様、搬送レール４と架台５との間に所定の間隔をおいて少なくとも一対配置される。また、第二間隔調整装置３ｆは、第一実施の形態に係る間隔調整機構１ａの第二間隔調整装置３ａと同様、一対の第一間隔調整装置２ｆ間に配置される。ここでは、一対の第一間隔調整装置２ｆを搬送レール４と架台５との間の両端部１０に配置し、第二間隔調整装置３ｆを搬送レール４と架台５との間の中央部１１に配置している。
【手続補正１７】
【補正対象書類名】明細書
【補正対象項目名】０１１５
【補正方法】変更
【補正の内容】
【０１１５】
第二間隔調整装置３ｆは、差動ネジ３６と、差動ネジ３６を搬送レール４の裏面４１に取り付けるためのブラケット３７と、差動ネジ３６と軸心方向に連結されたシャフト３１と、架台５の表面５０に取り付けられるブラケット３２と、シャフト３１をブラケット３２に連結する円筒ネジ３５と、コイルスプリング６４と、スプリングパッド兼ガイド６５と、を備えている。ここで、差動ネジ３６は、第四実施の形態に係る間隔調整機構１ｄの第二間隔調整装置３ｄに用いられる差動ネジ３６と同じものであり、シャフト３１、ブラケット３２、および円筒ネジ３５は、第一実施の形態に係る間隔調整機構１ａの第二間隔調整装置３ａに用いられるシャフト３１、ブラケット３２、および円筒ネジ３５と同じものであり、そして、ブラケット３７は、第五実施の形態に係る間隔調整機構１ｅの第二間隔調整装置３ｅに用いられるブラケット３７と同じものである。
【手続補正１８】
【補正対象書類名】明細書
【補正対象項目名】０１２２
【補正方法】変更
【補正の内容】
【０１２２】
つぎに、第二間隔調整装置３ｆの円筒ネジ３５を、第二間隔調整装置３ｆのブラケット３２の表面３２０側からブラケット３２に設けられたネジ穴３２２に螺合させる。このとき、円筒ネジ３５がブラケット３２から抜け落ちない程度の緩めに螺合させる。それから、第二間隔調整装置３ｆのシャフト３１の他方の端面３１１を、ブラケット３２の表面３２０側からブラケット３２のネジ穴３２２に螺合させた円筒ネジ３５に挿入する。これにより、ブラケット３２のネジ穴３２に挿入された円筒ネジ３５に、シャフト３１がスライド自在に装着される。このとき、円筒ネジ３５をＲ方向に回転させて、ブラケット３２にシャフト３１を仮止めしてもよい（図３参照）。この場合、第二間隔調整装置３ｆの搬送レール４の裏面４１からブラケット３２の裏面３２１までの距離が第一間隔調整装置２ｆの搬送レール４の裏面４１からブラケット２８の裏面２８１までの距離より短くなる位置において、ブラケット３２にシャフト３１を仮止めする。
【手続補正１９】
【補正対象書類名】明細書
【補正対象項目名】０１２３
【補正方法】変更
【補正の内容】
【０１２３】
つぎに、組立ボルト２４を、第一間隔調整装置２ｆのブラケット２８の表面２８０側からブラケット２８に設けられた座繰り貫通穴２８３に挿入し、架台５の表面５０に設けられた図示していないネジ穴に螺合させる。これにより、ブラケット２８を架台５の表面５０に取り付ける。同様に、組立ボルト３４を、第二間隔調整装置３ｆのブラケット３２の表面３２０側からブラケット３２に設けられた座繰り貫通穴３２３に挿入し、架台５の表面５０に設けられた図示していないネジ穴に螺合させる。これにより、ブラケット３２を架台５の表面５０に取り付ける。このとき、ブラケット３２にシャフト３１が仮止めされているならば、円筒ネジ３５をＲ方向の反対方向に回転させて、円筒ネジ３５によるシャフト３１の締め付けを緩めておく。
【手続補正２０】
【補正対象書類名】明細書
【補正対象項目名】０１３５
【補正方法】変更
【補正の内容】
【０１３５】
図１０は、円筒ネジ３５を用いたブラケット３２にシャフト３１を固定するための機構の変形例を説明するための図である。この変形例が図３に示すものと異なる点は、ブラケット３２に代えてブラケット３２ａを設けた点である。また、ブラケット３２ａが図３に示すブラケット３２と異なる点は、ネジ穴３２２に代えて、大径部３２６および小径部３２７を有するネジ穴３２２ａを設けた点である。ネジ穴３２２ａの大径部３２６は、ブラケット３２ａの表面３２０側に設けられ、円筒ネジ３５のすり割りネジ部３５１のネジ山３５７と螺合するネジ溝３２４が形成されている。ネジ穴３２２ａの小径部３２７は、ブラケット３２ａの裏面３２１側に設けられ、円筒ネジ３５のすり割りネジ部３５１の外径より小さく、かつシャフト３１の外径より大きい内径を有している。
【手続補正２１】
【補正対象書類名】明細書
【補正対象項目名】０１３６
【補正方法】変更
【補正の内容】
【０１３６】
図示するように、円筒ネジ３５をブラケット３２ａのネジ穴３２２ａにブラケット３２ａの表面３２０側から挿入し、その後、シャフト３１を円筒ネジ２５に円筒ネジ３５の鍔部３５５側から挿入して、図示していないスパナで円筒ネジ３５の鍔部３５５を把持して所定の回転方向Ｒに回転させると、円筒ネジ３５がブラケット３２ａのネジ穴３２２ａにねじ込まれて、円筒ネジ３５の円筒ネジ本体３５０の端面３５８がブラケット３２ａのネジ穴３２２ａの大径部３２６と小径部３２７との段差面３２８と当接し、ブラケット３２ａのネジ穴３２２ａに対する円筒ネジ３５の最大ねじ込み量が規制される。その後も円筒ネジ３５を回転方向Ｒに回転させると、すり割りネジ部３５１のネジ山３５７とブラケット３２ａのネジ穴３２２ａのネジ溝３２４とが圧接され、ネジ山３５７およびネジ溝３２４の傾斜によりその圧接力Ｐの一部Ｐｘが円筒ネジ３５の径方向内側に向かう。これにより、円筒ネジ本体３５０の他方の端部３５４側が円筒ネジ３５の径方向内側に移動して、円筒ネジ３５に挿入されたシャフト３１を締め付ける。
【手続補正２２】
【補正対象書類名】図面
【補正対象項目名】図４
【補正方法】変更
【補正の内容】
【図４】
2015161332.tif 000001